(57)【特許請求の範囲】
【請求項１】
キャリア・アグリゲーション技術に基づくワイヤレス通信システムのネットワーク・デバイスで、非アクティブ・ダウンリンク・コンポーネント・キャリアを測定するようにユーザ機器を制御する方法であって、
ａ．トリガ条件に基づいて、ターゲット非アクティブ・ダウンリンク・コンポーネント・キャリアのダウンリンク無線周波数を開き、前記ターゲット非アクティブ・ダウンリンク・コンポーネント・キャリアを測定するように前記ユーザ機器を制御するステップ、を含み、
前記ネットワーク・デバイスが前記ユーザ機器であり、前記ステップａが、
ｍ．前記トリガ条件に基づいて、前記ターゲット非アクティブ・ダウンリンク・コンポーネント・キャリアの前記ダウンリンク無線周波数を開き、前記ターゲット非アクティブ・ダウンリンク・コンポーネント・キャリアを測定するステップと、
ｎ．基地局に測定レポートを送信するステップと、
を含む、方法。
【請求項２】
前記基地局に第５の命令メッセージを送信するステップであって、前記第５の命令メッセージが、１つまたは複数の非アクティブ・ダウンリンク・コンポーネント・キャリアを活動化するように前記基地局に命令するために使用されるステップと、
前記基地局から第６の命令メッセージを受信し、前記第６の命令メッセージに従って、前記ターゲット非アクティブ・ダウンリンク・コンポーネント・キャリアと対になる非アクティブ・アップリンク・コンポーネント・キャリアのアップリンク無線周波数を開き、前記基地局にサウンディング基準信号を送信するステップ
をさらに含む請求項１に記載の方法。
【請求項３】
キャリア・アグリゲーション技術に基づくワイヤレス通信システムのネットワーク・デバイスで、非アクティブ・ダウンリンク・コンポーネント・キャリアを測定するようにユーザ機器を制御する方法であって、
ａ．トリガ条件に基づいて、ターゲット非アクティブ・ダウンリンク・コンポーネント・キャリアのダウンリンク無線周波数を開き、前記ターゲット非アクティブ・ダウンリンク・コンポーネント・キャリアを測定するように前記ユーザ機器を制御するステップ、を含み、
前記ネットワーク・デバイスが基地局であり、前記ステップａが、
Ｍ．前記トリガ条件に基づいて、前記ユーザ機器に第１の命令メッセージを送信するステップであって、前記第１の命令メッセージが、前記ターゲット非アクティブ・ダウンリンク・コンポーネント・キャリアを測定するように前記ユーザ機器に命令するために使用されるステップと、
Ｎ．前記ユーザ機器から測定レポートを受信するステップと、
Ｏ．前記測定レポートに従って、１つまたは複数の最適なダウンリンク・コンポーネント・キャリアを活動化するステップと
を含み、
前記ステップＯの前に、
前記ターゲット非アクティブ・ダウンリンク・コンポーネント・キャリアと対になるアップリンク・コンポーネント・キャリアがアクティブ・ステータスにあるかどうかを判定するステップ、
を含む、方法。
【請求項４】
前記ステップＯの前に、
前記ターゲット非アクティブ・ダウンリンク・コンポーネント・キャリアと対になる前記アップリンク・コンポーネント・キャリアがアクティブ・ステータスにない場合、前記ユーザ機器に第２の命令メッセージを送信するステップであって、前記第２の命令メッセージが、前記ターゲット非アクティブ・ダウンリンク・コンポーネント・キャリアと対になる非アクティブ・アップリンク・コンポーネント・キャリアのアップリンク無線周波数を開き、サウンディング基準信号を送信するように前記ユーザ機器に命令するために使用されるステップと、
前記非アクティブ・アップリンク・コンポーネント・キャリアを測定するステップと
をさらに含み、
前記ステップＯが、
前記ユーザ機器から受信した前記測定レポートと、前記基地局の測定結果とに従って、最適なアップリンク・コンポーネント・キャリアとダウンリンク・コンポーネント・キャリアの１つまたは複数の対を活動化するステップをさらに含む、請求項３に記載の方法。
【請求項５】
キャリア・アグリゲーション技術に基づくワイヤレス通信システムのユーザ機器で、非アクティブ・ダウンリンク・コンポーネント・キャリアを測定するように前記ユーザ機器を制御する際に前記基地局を支援する方法であって、
Ｉ．前記基地局から第１の命令メッセージを受信するステップと、
ＩＩ．前記第１の命令メッセージに従って、ターゲット非アクティブ・ダウンリンク・コンポーネント・キャリアのダウンリンク無線周波数を開き、前記ターゲット非アクティブ・ダウンリンク・コンポーネント・キャリアを測定するステップと、
ＩＩＩ．前記基地局に測定レポートを送信するステップと
を含む、請求項３に記載の方法。
【請求項６】
Ｘ．前記基地局から第２の命令メッセージを受信するステップと、
Ｙ．前記第２の命令メッセージに従って、前記ターゲット非アクティブ・ダウンリンク・コンポーネント・キャリアと対になる非アクティブ・アップリンク・コンポーネント・キャリアのアップリンク無線周波数を開き、前記基地局にサウンディング基準信号を送信するステップと
をさらに含む請求項５に記載の方法。
【請求項７】
キャリア・アグリゲーション技術に基づくワイヤレス通信システムのネットワーク・デバイスで、サウンディング基準信号を送信するようにユーザ機器を制御する方法であって、
ｉ．トリガ条件に基づいて、ターゲット非アクティブ・アップリンク・コンポーネント・キャリアのアップリンク無線周波数を開き、基地局にサウンディング基準信号を送信するように前記ユーザ機器を制御するステップ、
を含み、
前記ネットワーク・デバイスが前記ユーザ機器であり、前記ステップｉが、
ｅ．前記トリガ条件に基づいて、前記基地局に第７の命令メッセージを送信するステップであって、前記第７の命令メッセージが、１つまたは複数の非アクティブ・アップリンク・コンポーネント・キャリアを活動化するように前記基地局に命令するために使用されるステップ、
を更に含む、方法。
【請求項８】
ｆ．前記基地局から第８の命令メッセージを受信し、前記第８の命令メッセージに従って、前記ターゲット非アクティブ・アップリンク・コンポーネント・キャリアの前記アップリンク無線周波数を開き、前記基地局に前記サウンディング基準信号を送信するステップと
をさらに含む請求項７に記載の方法。
【請求項９】
前記ターゲット非アクティブ・アップリンク・コンポーネント・キャリアと対になるダウンリンク・コンポーネント・キャリアがアクティブ・ステータスにあるかどうかを判定するステップと、
そうでない場合、前記ターゲット非アクティブ・アップリンク・コンポーネント・キャリアと対になる非アクティブ・ダウンリンク・コンポーネント・キャリアの無線周波数を開き、前記非アクティブ・ダウンリンク・コンポーネント・キャリアを測定するステップと、
前記基地局に測定レポートを送信するステップと
をさらに含む請求項８に記載の方法。
【請求項１０】
キャリア・アグリゲーション技術に基づくワイヤレス通信システムのネットワーク・デバイスで、サウンディング基準信号を送信するようにユーザ機器を制御する方法であって、
ｉ．トリガ条件に基づいて、ターゲット非アクティブ・アップリンク・コンポーネント・キャリアのアップリンク無線周波数を開き、基地局にサウンディング基準信号を送信するように前記ユーザ機器を制御するステップ、
を含み、
前記ネットワーク・デバイスが前記基地局であり、前記ステップｉが、
Ｅ．前記トリガ条件に基づいて、前記ユーザ機器に第３の命令メッセージを送信するステップであって、前記第３の命令メッセージが、前記ターゲット非アクティブ・アップリンク・コンポーネント・キャリアの前記アップリンク無線周波数を開き、前記サウンディング基準信号を送信するように前記ユーザ機器に命令するために使用されるステップと、
Ｆ．前記ターゲット非アクティブ・アップリンク・コンポーネント・キャリアを測定するステップと、
Ｇ．測定結果に従って、１つまたは複数の最適なアップリンク・コンポーネント・キャリアを活動化するステップと、を含み、
前記ステップＧの前に、
前記ターゲット非アクティブ・アップリンク・コンポーネント・キャリアと対になるダウンリンク・コンポーネント・キャリアがアクティブ・ステータスにあるかどうかを判定するステップ、
をさらに含む、方法。
【請求項１１】
前記ステップＧの前に、
前記ターゲット非アクティブ・アップリンク・コンポーネント・キャリアと対になる前記ダウンリンク・コンポーネント・キャリアがアクティブ・ステータスにない場合、前記ユーザ機器に第４の命令メッセージを送信するステップであって、前記第４の命令メッセージが、前記ターゲット非アクティブ・アップリンク・コンポーネント・キャリアと対になる非アクティブ・ダウンリンク・コンポーネント・キャリアを測定するように前記ユーザ機器に命令するために使用される、ステップと、
前記ユーザ機器から測定レポートを受信するステップと、
をさらに含み、前記ステップＧが、
前記ユーザ機器から受信した前記測定レポートと、前記基地局の前記測定結果とに従って、最適なアップリンク・コンポーネント・キャリアとダウンリンク・コンポーネント・キャリアの１つまたは複数の対を活動化するステップ、
をさらに含む、請求項１０に記載の方法。
【請求項１２】
キャリア・アグリゲーション技術に基づくワイヤレス通信システムのユーザ機器で、サウンディング基準信号を送信するように前記ユーザ機器を制御する際に前記基地局を支援する方法であって、
Ａ．前記基地局から第３の命令メッセージを受信するステップと、
Ｂ．前記第３の命令メッセージに従って、ターゲット非アクティブ・アップリンク・コンポーネント・キャリアのアップリンク無線周波数を開き、前記基地局に前記サウンディング基準信号を送信するステップと、
を含む、請求項１０に記載の方法。
【発明の詳細な説明】
【技術分野】
【０００１】
本開示はワイヤレス通信システムに関し、詳細にはキャリア・アグリゲーション（ＣＡ）技術に基づくワイヤレス通信システムに関する。
【背景技術】
【０００２】
ＬＴＥ−Ａｄｖａｎｃｅｄでは、キャリア・アグリゲーションが、システム性能を改善するための重要な技術として採用されている。
【０００３】
現在、構成済みコンポーネント・キャリア（ＣＣ）は、アクティブ・ステータスまたは非アクティブ・ステータスにあることができる。ユーザ機器が非アクティブ・ステータスにあるコンポーネント・キャリアを測定するかどうかが、熱い議論が行われている問題である。現在のところ、この問題に対して２つの解決策がある。
【０００４】
第１の解決策では、ユーザ機器が、非アクティブ・ステータスにあるすべてのコンポーネント・キャリアを継続的に測定する。しかし、非アクティブ・ステータスにあるこうしたコンポーネント・キャリアは、データを送信するために非常に長い期間にわたって活動化されないことがあるので、この解決策は、ユーザ機器の電力消費が多くなることがある。
【０００５】
第２の解決策では、ユーザ機器は、非アクティブ・ステータスにあるどんなコンポーネント・キャリアも測定せず、その場合、ユーザ機器および基地局は、非アクティブ・ステータスにあるこうしたコンポーネント・キャリアの無線条件を知らない。非アクティブ・ステータスにあるこうしたコンポーネント・キャリアのうちの１つまたは複数が活動化される必要があるとき、１つの手法は、基地局が非アクティブ・ステータスにあるコンポーネント・キャリアのうちの１つをランダムに活動化することであるが、このコンポーネント・キャリアが不十分なチャネル条件を有する場合、データ伝送の前にコンポーネント・キャリア間で切り換える必要があることがある。したがって、そのようなランダムな活動化の結果、データ伝送に余分な遅延が生じ、ユーザ機器と基地局との間の余分なシグナリング交換も生じることがある。
【発明の概要】
【発明が解決しようとする課題】
【０００６】
上記の問題に鑑みて、ユーザ機器の電力消費と、コンポーネント・キャリアに対する迅速な応答との間の折り合いを可能にする方法を提供することが必要である。
【課題を解決するための手段】
【０００７】
従来技術の上記の問題に鑑みて、非アクティブ・ダウンリンク・コンポーネント・キャリアを測定するようにユーザ機器を制御する方法および装置と、キャリア・アグリゲーション技術に基づくワイヤレス通信システムで、サウンディング基準信号を送信するようにユーザ機器を制御する方法および装置とが提供される。
【０００８】
本発明の第１の態様によれば、キャリア・アグリゲーション技術に基づくワイヤレス通信システムのネットワーク・デバイスで、非アクティブ・ダウンリンク・コンポーネント・キャリアを測定するようにユーザ機器を制御する方法が提供される。この方法は、ａ．トリガ条件に基づいて、ターゲット非アクティブ・ダウンリンク・コンポーネント・キャリアのダウンリンク無線周波数を開き、ターゲット非アクティブ・ダウンリンク・コンポーネント・キャリアを測定するようにユーザ機器を制御するステップを含む。
【０００９】
任意選択で、ネットワーク・デバイスがユーザ機器であるとき、ステップａは、ｍ．トリガ条件に基づいて、ターゲット非アクティブ・ダウンリンク・コンポーネント・キャリアのダウンリンク無線周波数を開き、ターゲット非アクティブ・ダウンリンク・コンポーネント・キャリアを測定するステップと、ｎ．基地局に測定レポートを送信するステップとを含む。
【００１０】
任意選択で、ネットワーク・デバイスが基地局であるとき、ステップａは、Ｍ．トリガ条件に基づいて、ユーザ機器に第１の命令メッセージを送信するステップであって、第１の命令メッセージが、ターゲット非アクティブ・ダウンリンク・コンポーネント・キャリアを測定するようにユーザ機器に命令するために使用されるステップと、Ｎ．ユーザ機器から測定レポートを受信するステップと、Ｏ．測定レポートに応答して、１つまたは複数の最適なダウンリンク・コンポーネント・キャリアを活動化するステップとを含む。
【００１１】
本発明の第２の態様によれば、キャリア・アグリゲーション技術に基づくワイヤレス通信システムのユーザ機器で、非アクティブ・ダウンリンク・コンポーネント・キャリアを測定するようにユーザ機器を制御する際に基地局を支援する方法が提供される。この方法は、Ｉ．基地局から第１の命令メッセージを受信するステップと、ＩＩ．第１の命令メッセージに応答して、ターゲット非アクティブ・ダウンリンク・コンポーネント・キャリアのダウンリンク無線周波数を開き、ターゲット非アクティブ・ダウンリンク・コンポーネント・キャリアを測定するステップと、ＩＩＩ．基地局に測定レポートを送信するステップとを含む。
【００１２】
本発明の第３の態様によれば、キャリア・アグリゲーション技術に基づくワイヤレス通信システムのネットワーク・デバイスで、サウンディング基準信号を送信するようにユーザ機器を制御する方法が提供される。この方法は、ｉ．トリガ条件に基づいて、ターゲット非アクティブ・アップリンク・コンポーネント・キャリアのアップリンク無線周波数を開き、基地局にサウンディング基準信号を送信するようにユーザ機器を制御するステップを含む。
【００１３】
任意選択で、ネットワーク・デバイスがユーザ機器であるとき、ステップｉは、ｅ．トリガ条件に基づいて、基地局に第７の命令メッセージを送信するステップであって、第７の命令メッセージが、１つまたは複数の非アクティブ・アップリンク・コンポーネント・キャリアを活動化するように基地局に命令するために使用されるステップと、ｆ．基地局から第８の命令メッセージを受信し、第８の命令メッセージに応答して、ターゲット非アクティブ・アップリンク・コンポーネント・キャリアのアップリンク無線周波数を開き、基地局にサウンディング基準信号を送信するステップとをさらに含む。
【００１４】
任意選択で、ネットワーク・デバイスが基地局であるとき、ステップｉは、Ｅ．トリガ条件に基づいて、ユーザ機器に第３の命令メッセージを送信するステップであって、第３の命令メッセージが、ターゲット非アクティブ・アップリンク・コンポーネント・キャリアのアップリンク無線周波数を開き、サウンディング基準信号を送信するようにユーザ機器に命令するために使用されるステップと、Ｆ．ターゲット非アクティブ・アップリンク・コンポーネント・キャリアを測定するステップと、Ｇ．測定レポートに応答して、１つまたは複数の最適なアップリンク・コンポーネント・キャリアを活動化するステップとをさらに含む。
【００１５】
本発明の第４の態様によれば、キャリア・アグリゲーション技術に基づくワイヤレス通信システムのユーザ機器で、サウンディング基準信号を送信するようにユーザ機器を制御する際に基地局を支援する方法が提供される。この方法は、Ａ．基地局から第３の命令メッセージを受信するステップと、Ｂ．第３の命令メッセージに応答して、ターゲット非アクティブ・アップリンク・コンポーネント・キャリアのアップリンク無線周波数を開き、基地局にサウンディング基準信号を送信するステップとを含む。
【００１６】
本発明の第５の態様によれば、キャリア・アグリゲーション技術に基づくワイヤレス通信システムのネットワーク・デバイスで、非アクティブ・ダウンリンク・コンポーネント・キャリアを測定するようにユーザ機器を制御する第１の制御装置であって、トリガ条件に基づいて、ターゲット非アクティブ・ダウンリンク・コンポーネント・キャリアのダウンリンク無線周波数を開き、ターゲット非アクティブ・ダウンリンク・コンポーネント・キャリアを測定するようにユーザ機器を制御するように構成され、ネットワーク・デバイスが基地局またはユーザ機器である第１の制御装置が提供される。
【００１７】
本発明の第６の態様によれば、キャリア・アグリゲーション技術に基づくワイヤレス通信システムのネットワーク・デバイスで、サウンディング基準信号を送信するようにユーザ機器を制御する第２の制御装置であって、トリガ条件に基づいて、ターゲット非アクティブ・アップリンク・コンポーネント・キャリアのアップリンク無線周波数を開き、基地局にサウンディング基準信号を送信するようにユーザ機器を制御するように構成され、ネットワーク・デバイスが基地局またはユーザ機器である第２の制御装置が提供される。
【００１８】
本発明の技術的解決策を用いると、ユーザ機器の電力消費と、コンポーネント・キャリアに対する迅速で正確な応答との間の折り合いを達成することができる。
【００１９】
図面を参照しながら、以下の非限定的な実施形態の説明から、本発明の他の目的、特徴、および利点がより明らかとなるであろう。
【図面の簡単な説明】
【００２０】
【図１】本発明の一実施形態による、キャリア・アグリゲーション技術に基づくワイヤレス通信システムでユーザ機器が非アクティブ・ダウンリンク・コンポーネント・キャリアを測定するとユーザ機器自体で決定する方法の流れ図である。
【図２】本発明の一実施形態による、キャリア・アグリゲーション技術に基づくワイヤレス通信システムで基地局が非アクティブ・ダウンリンク・コンポーネント・キャリアを測定するようにユーザ機器を制御する方法の流れ図である。
【図３】本発明の一実施形態による、キャリア・アグリゲーション技術に基づくワイヤレス通信システムでユーザ機器が非アクティブ・ダウンリンク・コンポーネント・キャリアを測定し、サウンディング基準信号の送信を要求するとユーザ機器自体で決定する方法の流れ図である。
【図４】本発明の別の実施形態による、キャリア・アグリゲーション技術に基づくワイヤレス通信システムで基地局が非アクティブ・ダウンリンク・コンポーネント・キャリアを測定するようにユーザ機器を制御し、サウンディング基準信号を送信するようにユーザ機器を制御する方法の流れ図である。
【図５】本発明の一実施形態による、キャリア・アグリゲーション技術に基づくワイヤレス通信システムでユーザ機器がサウンディング基準信号の送信を要求する方法の流れ図である。
【図６】本発明の別の実施形態による、キャリア・アグリゲーション技術に基づくワイヤレス通信システムで基地局がサウンディング基準信号を送信するようにユーザ機器を制御する方法の流れ図である。
【図７】本発明の一実施形態による、キャリア・アグリゲーション技術に基づくワイヤレス通信システムでユーザ機器がサウンディング基準信号の送信を要求し、非アクティブ・ダウンリンク・コンポーネント・キャリアを測定するとユーザ機器自体で決定する方法の流れ図である。
【図８】本発明の別の実施形態による、キャリア・アグリゲーション技術に基づくワイヤレス通信システムで基地局がサウンディング基準信号を送信するようにユーザ機器を制御し、非アクティブ・ダウンリンク・コンポーネント・キャリアを測定するようにユーザ機器を制御する方法の流れ図である。
【発明を実施するための形態】
【００２１】
図面全体にわたって、同一または類似の参照番号は、同一または類似のステップ機能／デバイス（モジュール）を示す。
【００２２】
図面を参照しながら、以下で本発明の技術的解決策を説明する。
【００２３】
図１に、本発明の一実施形態による、キャリア・アグリゲーション技術に基づくワイヤレス通信システムでユーザ機器が非アクティブ・ダウンリンク・コンポーネント・キャリアを測定するとユーザ機器自体で決定する方法の流れ図を示す。
【００２４】
まずステップＳ１１で、トリガ条件に基づいて、ユーザ機器１が、ターゲット非アクティブ・ダウンリンク・コンポーネント・キャリアのダウンリンク無線周波数を開き、ターゲット非アクティブ・ダウンリンク・コンポーネント・キャリアを測定する。
【００２５】
ターゲット非アクティブ・ダウンリンク・コンポーネント・キャリアは、非アクティブ・ステータスにある１つまたは複数の構成済みダウンリンク・コンポーネント・キャリアでよいことに留意されたい。
【００２６】
任意選択で、トリガ条件は、ユーザ機器１によって測定される現在アクティブ・ステータスにあるダウンリンク・コンポーネント・キャリアの不十分な無線条件であり、例えば、アクティブ・ステータスにある１つまたは複数のダウンリンク・コンポーネント・キャリアのチャネル品質インジケータ（ＣＱＩ）が所定の期間に所定のしきい値未満であることである。
【００２７】
このとき、ユーザ機器１は、ダウンリンク・データの伝送のために非アクティブ・ステータスにある１つまたは複数のダウンリンク・コンポーネント・キャリアを活動化することが必要であるとみなす。次いで、ユーザ機器１は、ターゲット非アクティブ・ダウンリンク・コンポーネント・キャリアのダウンリンク無線周波数を開き、ターゲット非アクティブ・ダウンリンク・コンポーネント・キャリアを測定する。
【００２８】
基地局２が、各構成済みダウンリンク・コンポーネント・キャリアについてパイロット信号を送信するので、ユーザ機器１が非アクティブ・ダウンリンク・コンポーネント・キャリアのダウンリンク無線周波数を開くと、ユーザ機器１は、ターゲット非アクティブ・ダウンリンク・コンポーネント・キャリアを介して、基地局２から送信されたパイロット信号を受信することができる。
【００２９】
次いでステップＳ１２で、ユーザ機器１は、各ターゲット非アクティブ・ダウンリンク・コンポーネント・キャリアを介して受信したパイロット信号の強度に従って測定レポートを生成し、基地局２に測定レポートを送信する。
【００３０】
任意選択で、測定レポートは、現在アクティブ・ステータスにあるすべてのダウンリンク・コンポーネント・キャリアの無線条件と、各ターゲット非アクティブ・ダウンリンク・コンポーネント・キャリアの無線条件とを含むことができる。
【００３１】
次にステップＳ１３で、基地局２は、ユーザ機器１から測定レポートを受信し、測定レポートに応答して、１つまたは複数の最適なダウンリンク・コンポーネント・キャリアを活動化する。
【００３２】
図２に、本発明の一実施形態による、キャリア・アグリゲーション技術に基づくワイヤレス通信システムで基地局が非アクティブ・ダウンリンク・コンポーネント・キャリアを測定するようにユーザ機器を制御する方法の流れ図を示す。
【００３３】
まずステップＳ２１で、基地局２が、トリガ条件に基づいて、ユーザ機器１に第１の命令メッセージを送信する。第１の命令メッセージは、ターゲット非アクティブ・ダウンリンク・コンポーネント・キャリアを測定するようにユーザ機器１に命令するために使用される。
【００３４】
ターゲット非アクティブ・ダウンリンク・コンポーネント・キャリアは、非アクティブ・ステータスにある１つまたは複数の構成済みダウンリンク・コンポーネント・キャリアでよいことに留意されたい。
【００３５】
任意選択で、トリガ条件は、
ダウンリンク・バッファ・データが所定のしきい値を超えること、
現在アクティブ・ステータスにあるダウンリンク・コンポーネント・キャリアが過負荷ステータスにあること、および
現在アクティブ・ステータスにあるダウンリンク・コンポーネント・キャリアの無線条件が不十分であること
のうちの任意の１つまたは複数を含む。
【００３６】
上記のトリガ条件のうちの１つまたは複数が満たされるとき、基地局２は、ダウンリンク・データの伝送のために非アクティブ・ステータスにある１つまたは複数のダウンリンク・コンポーネント・キャリアを活動化することが必要であるとみなす。次いで、基地局２は、ユーザ機器１に第１の命令メッセージを送信し、ターゲット非アクティブ・ダウンリンク・コンポーネント・キャリアを測定するようにユーザ機器１に命令する。
【００３７】
次いでステップＳ２２で、ユーザ機器１は、基地局２から第１の命令メッセージを受信し、第１の命令メッセージに応答して、ターゲット非アクティブ・ダウンリンク・コンポーネント・キャリアのダウンリンク無線周波数を開き、ターゲット非アクティブ・ダウンリンク・コンポーネント・キャリアを測定する。
【００３８】
基地局２は、各構成済みダウンリンク・コンポーネント・キャリアについてパイロット信号を送信するので、ユーザ機器１が非アクティブ・ダウンリンク・コンポーネント・キャリアのダウンリンク無線周波数を開くと、ユーザ機器１は、ターゲット非アクティブ・ダウンリンク・コンポーネント・キャリアを介して、基地局２から送信されたパイロット信号を受信することができる。
【００３９】
次いでステップＳ２３で、ユーザ機器１は、各ターゲット非アクティブ・ダウンリンク・コンポーネント・キャリアを介して受信したパイロット信号の強度に従って測定レポートを生成し、基地局２に測定レポートを送信する。
【００４０】
任意選択で、測定レポートは、現在アクティブ・ステータスにあるすべてのダウンリンク・コンポーネント・キャリアの無線条件と、各ターゲット非アクティブ・ダウンリンク・コンポーネント・キャリアの無線条件とを含むことができる。
【００４１】
次にステップＳ２４で、基地局２は、ユーザ機器１から測定レポートを受信し、測定レポートに応答して、１つまたは複数の最適なダウンリンク・コンポーネント・キャリアを活動化する。
【００４２】
図１および図２にそれぞれ示す２つの実施形態では、ユーザ機器１は、ターゲット非アクティブ・ダウンリンク・コンポーネント・キャリアを測定するとユーザ機器自体で決定し、基地局２は、ターゲット非アクティブ・ダウンリンク・コンポーネント・キャリアを測定するようにユーザ機器１を制御する。特定の応用例で上記の２つの解決策を組み合わせて使用できることを当業者は理解することができる。
【００４３】
図３に、本発明の一実施形態による、キャリア・アグリゲーション技術に基づくワイヤレス通信システムでユーザ機器が非アクティブ・ダウンリンク・コンポーネント・キャリアを測定し、基地局へのサウンディング基準信号の送信を要求するとユーザ機器自体で決定する方法の流れ図である。
【００４４】
まずステップＳ３１で、トリガ条件に基づいて、ユーザ機器１が、ターゲット非アクティブ・ダウンリンク・コンポーネント・キャリアのダウンリンク無線周波数を開き、ターゲット非アクティブ・ダウンリンク・コンポーネント・キャリアを測定する。
【００４５】
ターゲット非アクティブ・ダウンリンク・コンポーネント・キャリアは、非アクティブ・ステータスにある１つまたは複数の構成済みダウンリンク・コンポーネント・キャリアでよいことに留意されたい。
【００４６】
任意選択で、トリガ条件は、ユーザ機器１によって測定される現在アクティブ・ステータスにあるダウンリンク・コンポーネント・キャリアの不十分な無線条件であり、例えば、アクティブ・ステータスにある１つまたは複数のダウンリンク・コンポーネント・キャリアのチャネル品質インジケータ（ＣＱＩ）が所定の期間に所定のしきい値未満であることである。
【００４７】
このとき、ユーザ機器１は、ダウンリンク・データの伝送のために非アクティブ・ステータスにある１つまたは複数のダウンリンク・コンポーネント・キャリアを活動化することが必要であるとみなす。次いで、ユーザ機器１は、ターゲット非アクティブ・ダウンリンク・コンポーネント・キャリアのダウンリンク無線周波数を開き、ターゲット非アクティブ・ダウンリンク・コンポーネント・キャリアを測定する。
【００４８】
基地局２が、各構成済みダウンリンク・コンポーネント・キャリアについてパイロット信号を送信するので、ユーザ機器１が非アクティブ・ダウンリンク・コンポーネント・キャリアのダウンリンク無線周波数を開くと、ユーザ機器１は、ターゲット非アクティブ・ダウンリンク・コンポーネント・キャリアを介して、基地局２から送信されたパイロット信号を受信することができる。
【００４９】
次いでステップＳ３２で、ユーザ機器１は、各ターゲット非アクティブ・ダウンリンク・コンポーネント・キャリアを介して受信したパイロット信号の強度に従って測定レポートを生成し、基地局２に測定レポートを送信する。
【００５０】
次にステップＳ３３で、基地局２は、ユーザ機器１から測定レポートを受信する。
【００５１】
任意選択で、測定レポートは、現在アクティブ・ステータスにあるすべてのダウンリンク・コンポーネント・キャリアの無線条件と、各ターゲット非アクティブ・ダウンリンク・コンポーネント・キャリアの無線条件とを含むことができる。
【００５２】
同時にステップＳ３１’で、ユーザ機器１は、基地局２に第５の命令メッセージを送信し、１つまたは複数のターゲット非アクティブ・ダウンリンク・コンポーネント・キャリアを活動化するように基地局２に命令する。
【００５３】
次いでステップＳ３２’で、基地局２は、ユーザ機器１から第５の命令メッセージを受信し、ターゲット非アクティブ・ダウンリンク・コンポーネント・キャリアと対になるアップリンク・コンポーネント・キャリアがアクティブ・ステータスにあるかどうかを判定する。
【００５４】
ターゲット非アクティブ・ダウンリンク・コンポーネント・キャリアと対になるアップリンク・コンポーネント・キャリアが非アクティブ・ステータスにある場合、ステップＳ３３’で、基地局２は、ユーザ機器１に第６の命令メッセージを送信する。第６の命令メッセージは、ターゲット非アクティブ・ダウンリンク・コンポーネント・キャリアと対になる非アクティブ・アップリンク・コンポーネント・キャリアのアップリンク無線周波数を開き、サウンディング基準信号を送信するようにユーザ機器１に命令するために使用される。
【００５５】
次にステップＳ３４’で、基地局２から受信した第６の命令メッセージに応答して、ユーザ機器１は、ターゲット非アクティブ・ダウンリンク・コンポーネント・キャリアと対になる非アクティブ・アップリンク・コンポーネント・キャリアのアップリンク無線周波数を開き、基地局２にサウンディング基準信号（ＳＲＳ）を送信する。
【００５６】
その後にステップＳ３５’で、基地局２は非アクティブ・アップリンク・コンポーネント・キャリアを測定する。
【００５７】
任意選択で、基地局２は、非アクティブ・アップリンク・コンポーネント・キャリアを介して送信されたサウンディング基準信号の強度を測定し、測定結果を生成する。
【００５８】
最後にステップＳ３６で、基地局２は、ユーザ機器１から受信した測定レポートと、この基地局２の測定結果とに基づいて、最適なアップリンク・コンポーネント・キャリアとダウンリンク・コンポーネント・キャリアの１つまたは複数の対を活動化する。
【００５９】
ステップＳ３１〜Ｓ３３およびステップＳ３１’〜Ｓ３５’は、特定の順序で実施されないことがあることに留意されたい。
【００６０】
図４に、本発明の別の実施形態による、キャリア・アグリゲーション技術に基づくワイヤレス通信システムで基地局が非アクティブ・ダウンリンク・コンポーネント・キャリアを測定するようにユーザ機器を制御し、サウンディング基準信号を送信するようにユーザ機器を制御する方法の流れ図を示す。
【００６１】
まずステップＳ４１で、基地局２が、トリガ条件に基づいて、ユーザ機器１に第１の命令メッセージを送信し、第１の命令メッセージは、ターゲット非アクティブ・ダウンリンク・コンポーネント・キャリアを測定するようにユーザ機器１に命令するために使用される。
【００６２】
ターゲット非アクティブ・ダウンリンク・コンポーネント・キャリアは、非アクティブ・ステータスにある１つまたは複数の構成済みダウンリンク・コンポーネント・キャリアでよいことに留意されたい。
【００６３】
任意選択で、トリガ条件は、
ダウンリンク・バッファ・データが所定のしきい値を超えること、
現在アクティブ・ステータスにあるダウンリンク・コンポーネント・キャリアが過負荷ステータスにあること、および
現在アクティブ・ステータスにあるダウンリンク・コンポーネント・キャリアの無線条件が不十分であること
のうちの任意の１つまたは複数を含む。
【００６４】
上記のトリガ条件のうちの１つまたは複数が満たされるとき、基地局２は、ダウンリンク・データの伝送のために非アクティブ・ステータスにある１つまたは複数のダウンリンク・コンポーネント・キャリアを活動化することが必要であるとみなす。次いで、基地局２は、ユーザ機器１に第１の命令メッセージを送信し、ターゲット非アクティブ・ダウンリンク・コンポーネント・キャリアを測定するようにユーザ機器１に命令する。
【００６５】
次いでステップＳ４２で、ユーザ機器１は、基地局２から第１の命令メッセージを受信し、第１の命令メッセージに応答して、ターゲット非アクティブ・ダウンリンク・コンポーネント・キャリアのダウンリンク無線周波数を開き、ターゲット非アクティブ・ダウンリンク・コンポーネント・キャリアを測定する。
【００６６】
基地局２は、各構成済みダウンリンク・コンポーネント・キャリアについてパイロット信号を送信するので、ユーザ機器１が非アクティブ・ダウンリンク・コンポーネント・キャリアのダウンリンク無線周波数を開くと、ユーザ機器１は、ターゲット非アクティブ・ダウンリンク・コンポーネント・キャリアを介して、基地局２から送信されたパイロット信号を受信することができる。
【００６７】
次いでステップＳ４３で、ユーザ機器１は、各ターゲット非アクティブ・ダウンリンク・コンポーネント・キャリアを介して受信したパイロット信号の強度に従って測定レポートを生成し、基地局２に測定レポートを送信する。
【００６８】
任意選択で、測定レポートは、現在アクティブ・ステータスにあるすべてのダウンリンク・コンポーネント・キャリアの無線条件と、各ターゲット非アクティブ・ダウンリンク・コンポーネント・キャリアの無線条件とを含むことができる。
【００６９】
同時にステップＳ４１’で、基地局２は、ターゲット非アクティブ・ダウンリンク・コンポーネント・キャリアと対になるアップリンク・コンポーネント・キャリアがアクティブ・ステータスにあるかどうかを判定する。
【００７０】
ターゲット非アクティブ・ダウンリンク・コンポーネント・キャリアと対になるアップリンク・コンポーネント・キャリアが非アクティブ・ステータスにある場合、ステップＳ４２’で、基地局２は、ユーザ機器１に第２の命令メッセージを送信する。第２の命令メッセージは、ターゲット非アクティブ・ダウンリンク・コンポーネント・キャリアと対になる非アクティブ・アップリンク・コンポーネント・キャリアのアップリンク無線周波数を開き、サウンディング基準信号を送信するようにユーザ機器１に命令するために使用される。
【００７１】
次にステップＳ４３’で、ユーザ機器１は、基地局２から第２の命令メッセージを受信し、第２の命令メッセージに応答して、ターゲット非アクティブ・ダウンリンク・コンポーネント・キャリアと対になる非アクティブ・アップリンク・コンポーネント・キャリアのアップリンク無線周波数を開き、基地局２にサウンディング基準信号を送信する。
【００７２】
次にステップＳ４４’で、基地局２は非アクティブ・アップリンク・コンポーネント・キャリアを測定する。
【００７３】
任意選択で、基地局２は、非アクティブ・アップリンク・コンポーネント・キャリアを介して送信されたサウンディング基準信号の強度を測定し、測定結果を生成する。
【００７４】
最後にステップＳ４５で、基地局２は、ユーザ機器１から受信した測定レポートと、基地局２の測定結果とに基づいて、最適なアップリンク・コンポーネント・キャリアとダウンリンク・コンポーネント・キャリアの１つまたは複数の対を活動化する。
【００７５】
ステップＳ４１〜Ｓ４３およびステップＳ４１’〜Ｓ４４’は、特定の順序で実施されないことがあることに留意されたい。
【００７６】
図３に示す実施形態では、ユーザ機器１は、ターゲット非アクティブ・ダウンリンク・コンポーネント・キャリアを測定し、さらに基地局２にサウンディング基準信号の送信を要求するとユーザ機器自体で決定し、図４に示す実施形態では、基地局２は、ターゲット非アクティブ・ダウンリンク・コンポーネント・キャリアを測定するようにユーザ機器１を制御し、さらにサウンディング基準信号を送信するようにユーザ機器１を制御する。特定の応用例で上記の２つの解決策を組み合わせて使用できることを当業者は理解することができる。
【００７７】
図５に、本発明の一実施形態による、キャリア・アグリゲーション技術に基づくワイヤレス通信システムでユーザ機器がサウンディング基準信号の送信を要求する方法の流れ図を示す。
【００７８】
まずステップＳ５１で、ユーザ機器１が、トリガ条件に基づいて、基地局２に第７の命令メッセージを送信する。第７の命令メッセージは、アップリンク・データの伝送のために非アクティブ・ステータスにある１つまたは複数のアップリンク・コンポーネント・キャリアを活動化するように基地局２に命令するために使用される。
【００７９】
任意選択で、トリガ条件は、ユーザ機器１のアップリンク・バッファ・データが所定のしきい値を超えることである。
【００８０】
任意選択で、第７の命令メッセージは、ユーザ機器１のアップリンク・バッファ・データ・レポートあるいは他の明示的または暗黙的シグナリングを含む。
【００８１】
次にステップＳ５２で、基地局２は、ユーザ機器１から第７の命令メッセージを受信し、第８の命令メッセージを生成し、ユーザ機器１に第８の命令メッセージを送信する。第８の命令メッセージは、ターゲット非アクティブ・アップリンク・コンポーネント・キャリアのアップリンク無線周波数を開き、サウンディング基準信号を送信するようにユーザ機器１に命令するために使用される。
【００８２】
ターゲット非アクティブ・アップリンク・コンポーネント・キャリアは、非アクティブ・ステータスにある１つまたは複数の構成済みアップリンク・コンポーネント・キャリアでよいことに留意されたい。
【００８３】
次いでステップＳ５３で、ユーザ機器１は、基地局２から第８の命令メッセージを受信し、第８の命令メッセージに応答して、ターゲット非アクティブ・アップリンク・コンポーネント・キャリアのアップリンク無線周波数を開き、基地局２にサウンディング基準信号を送信する。
【００８４】
次にステップＳ５４で、基地局２はターゲット非アクティブ・アップリンク・コンポーネント・キャリアを測定する。
【００８５】
任意選択で、基地局２は、ターゲット非アクティブ・アップリンク・コンポーネント・キャリアを介して送信されたサウンディング基準信号の強度を測定し、測定結果を生成する。
【００８６】
最後にステップＳ５５で、基地局２は、測定結果に従って、１つまたは複数の最適なアップリンク・コンポーネント・キャリアを活動化する。
【００８７】
図６に、本発明の別の実施形態による、キャリア・アグリゲーション技術に基づくワイヤレス通信システムで基地局がサウンディング基準信号を送信するようにユーザ機器を制御する方法の流れ図を示す。
【００８８】
まずステップＳ６１で、基地局２が、トリガ条件に基づいて、ユーザ機器１に第３の命令メッセージを送信する。第３の命令メッセージは、ターゲット非アクティブ・アップリンク・コンポーネント・キャリアのアップリンク無線周波数を開き、サウンディング基準信号を送信するようにユーザ機器１に命令するために使用される。
【００８９】
ターゲット非アクティブ・アップリンク・コンポーネント・キャリアは、非アクティブ・ステータスにある１つまたは複数の構成済みアップリンク・コンポーネント・キャリアでよいことに留意されたい。
【００９０】
任意選択で、トリガ条件は、
ユーザ機器１からレポートされるアップリンク・バッファ・データが所定のしきい値を超えること、
現在アクティブ・ステータスにあるアップリンク・コンポーネント・キャリアが過負荷ステータスにあること、および
現在アクティブ・ステータスにあるアップリンク・コンポーネント・キャリアの無線条件が不十分であること
のうちの任意の１つまたは複数を含む。
【００９１】
上記のトリガ条件のうちの１つまたは複数が満たされるとき、基地局２は、アップリンク・データの伝送のために非アクティブ・ステータスにある１つまたは複数のアップリンク・コンポーネント・キャリアを活動化することが必要であるとみなす。次いで、基地局２は、ユーザ機器１に第３の命令メッセージを送信し、ターゲット非アクティブ・アップリンク・コンポーネント・キャリアのアップリンク無線周波数を開き、サウンディング基準信号を送信するようにユーザ機器１に命令する。
【００９２】
次にステップＳ６２で、ユーザ機器１は、基地局２から第３の命令メッセージを受信し、第３の命令メッセージに応答して、ターゲット非アクティブ・アップリンク・コンポーネント・キャリアのアップリンク無線周波数を開き、基地局２にサウンディング基準信号を送信する。
【００９３】
次いでステップＳ６３で、基地局２はターゲット非アクティブ・アップリンク・コンポーネント・キャリアを測定する。
【００９４】
任意選択で、基地局２は、ターゲット非アクティブ・アップリンク・コンポーネント・キャリアを介して送信されたサウンディング基準信号の強度を測定し、測定結果を生成する。
【００９５】
最後にステップＳ６４で、基地局２は、測定結果に従って、１つまたは複数の最適なアップリンク・コンポーネント・キャリアを活動化する。
【００９６】
図５および図６にそれぞれ示す２つの実施形態では、ユーザ機器１は、サウンディング基準信号を送信するように基地局２にユーザ機器１自体で要求し、基地局２は、サウンディング基準信号を送信するようにユーザ機器１を制御する。特定の応用例で上記の２つの解決策を組み合わせて使用できることを当業者は理解することができる。
【００９７】
図７に、本発明の一実施形態による、キャリア・アグリゲーション技術に基づくワイヤレス通信システムでユーザ機器がサウンディング基準信号の送信を要求し、非アクティブ・ダウンリンク・コンポーネント・キャリアを測定するとユーザ機器自体で決定する方法の流れ図を示す。
【００９８】
まずステップＳ７１で、ユーザ機器１が、トリガ条件に基づいて、基地局２に第７の命令メッセージを送信する。第７の命令メッセージは、アップリンク・データの伝送のために非アクティブ・ステータスにある１つまたは複数のアップリンク・コンポーネント・キャリアを活動化するように基地局２に命令するために使用される。
【００９９】
任意選択で、トリガ条件は、ユーザ機器１のアップリンク・バッファ・データが所定のしきい値を超えることである。
【０１００】
任意選択で、第７の命令メッセージは、ユーザ機器１のアップリンク・バッファ・データ・レポートあるいは他の明示的または暗黙的シグナリングを含む。
【０１０１】
次にステップＳ７２で、基地局２は、ユーザ機器１から第７の命令メッセージを受信し、第８の命令メッセージを生成し、ユーザ機器１に第８の命令メッセージを送信する。第８の命令メッセージは、ターゲット非アクティブ・アップリンク・コンポーネント・キャリアのアップリンク無線周波数を開き、サウンディング基準信号を送信するようにユーザ機器１に命令するために使用される。
【０１０２】
ターゲット非アクティブ・アップリンク・コンポーネント・キャリアは、非アクティブ・ステータスにある１つまたは複数の構成済みアップリンク・コンポーネント・キャリアでよいことに留意されたい。
【０１０３】
次いでステップＳ７３で、ユーザ機器１は、基地局２から第８の命令メッセージを受信し、第８の命令メッセージに応答して、ターゲット非アクティブ・アップリンク・コンポーネント・キャリアのアップリンク無線周波数を開き、基地局２にサウンディング基準信号を送信する。
【０１０４】
次にステップＳ７４で、基地局２はターゲット非アクティブ・アップリンク・コンポーネント・キャリアを測定する。
【０１０５】
任意選択で、基地局２は、ターゲット非アクティブ・アップリンク・コンポーネント・キャリアを介して送信されたサウンディング基準信号の強度を測定し、測定結果を生成する。
【０１０６】
同時にステップＳ７１’で、ユーザ機器１は、ターゲット非アクティブ・アップリンク・コンポーネント・キャリアと対になるダウンリンク・コンポーネント・キャリアがアクティブ・ステータスにあるかどうかを判定する。
【０１０７】
ターゲット非アクティブ・アップリンク・コンポーネント・キャリアと対になるダウンリンク・コンポーネント・キャリアが非アクティブ・ステータスにある場合、ステップＳ７２’で、ユーザ機器１は、ターゲット非アクティブ・アップリンク・コンポーネント・キャリアと対になる非アクティブ・ダウンリンク・コンポーネント・キャリアの無線周波数を開き、非アクティブ・ダウンリンク・コンポーネント・キャリアを測定する。
【０１０８】
基地局２は、各構成済みダウンリンク・コンポーネント・キャリアについてパイロット信号を送信するので、ユーザ機器１が非アクティブ・ダウンリンク・コンポーネント・キャリアの無線周波数を開くと、ユーザ機器１は、ターゲット非アクティブ・アップリンク・コンポーネント・キャリアと対になる非アクティブ・ダウンリンク・コンポーネント・キャリアを介して基地局２から送信されたパイロット信号を受信することができる。
【０１０９】
次いでステップＳ７３’で、ユーザ機器１は、ターゲット非アクティブ・アップリンク・コンポーネント・キャリアと対になる各非アクティブ・ダウンリンク・コンポーネント・キャリアを介して受信したパイロット信号の強度に従って測定レポートを生成し、基地局２に測定レポートを送信する。
【０１１０】
任意選択で、測定レポートは、現在アクティブ・ステータスにあるすべてのダウンリンク・コンポーネント・キャリアの無線条件と、ターゲット非アクティブ・アップリンク・コンポーネント・キャリアと対になる各非アクティブ・ダウンリンク・コンポーネント・キャリアの無線条件とを含むことができる。
【０１１１】
次にステップＳ７４’で、基地局２は、ユーザ機器１から測定レポートを受信する。
【０１１２】
最後にステップＳ７５で、基地局２は、基地局２の測定結果と、ユーザ機器１から受信した測定レポートとに基づいて、最適なアップリンク・コンポーネント・キャリアとダウンリンク・コンポーネント・キャリアの１つまたは複数の対を活動化する。
【０１１３】
ステップＳ７１〜Ｓ７４およびステップＳ７１’〜Ｓ７４’は、特定の順序で実施されないことがあることに留意されたい。
【０１１４】
図８に、本発明の別の実施形態による、キャリア・アグリゲーション技術に基づくワイヤレス通信システムで基地局がサウンディング基準信号を送信するようにユーザ機器を制御し、非アクティブ・ダウンリンク・コンポーネント・キャリアを測定するようにユーザ機器を制御する方法の流れ図を示す。
【０１１５】
まずステップＳ８１で、基地局２は、トリガ条件に基づいて、ユーザ機器１に第３の命令メッセージを送信する。第３の命令メッセージは、ターゲット非アクティブ・アップリンク・コンポーネント・キャリアのアップリンク無線周波数を開き、サウンディング基準信号を送信するようにユーザ機器１に命令するために使用される。
【０１１６】
ターゲット非アクティブ・アップリンク・コンポーネント・キャリアは、非アクティブ・ステータスにある１つまたは複数の構成済みアップリンク・コンポーネント・キャリアでよいことに留意されたい。
【０１１７】
任意選択で、トリガ条件は、
ユーザ機器１からレポートされるアップリンク・バッファ・データが所定のしきい値を超えること、
現在アクティブ・ステータスにあるアップリンク・コンポーネント・キャリアが過負荷ステータスにあること、および
現在アクティブ・ステータスにあるアップリンク・コンポーネント・キャリアの無線条件が不十分であること
のうちの任意の１つまたは複数を含む。
【０１１８】
上記のトリガ条件のうちの１つまたは複数が満たされるとき、基地局２は、ユーザ機器１がアップリンク・データを送信するために、非アクティブ・ステータスにある１つまたは複数のアップリンク・コンポーネント・キャリアを活動化することが必要であるとみなす。次いで、基地局２は、ユーザ機器１に第３の命令メッセージを送信し、ターゲット非アクティブ・アップリンク・コンポーネント・キャリアのアップリンク無線周波数を開き、サウンディング基準信号を送信するようにユーザ機器１に命令する。
【０１１９】
次にステップＳ８２で、ユーザ機器１は、基地局２から第３の命令メッセージを受信し、第３の命令メッセージに応答して、ターゲット非アクティブ・アップリンク・コンポーネント・キャリアのアップリンク無線周波数を開き、基地局２にサウンディング基準信号を送信する。
【０１２０】
次いでステップＳ８３で、基地局２はターゲット非アクティブ・アップリンク・コンポーネント・キャリアを測定する。
【０１２１】
任意選択で、基地局２は、ターゲット非アクティブ・アップリンク・コンポーネント・キャリアを介して送信されたサウンディング基準信号の強度を測定し、測定結果を生成する。
【０１２２】
同時にステップＳ８１’で、基地局２は、ターゲット非アクティブ・アップリンク・コンポーネント・キャリアと対になるダウンリンク・コンポーネント・キャリアがアクティブ・ステータスにあるかどうかを判定する。
【０１２３】
ターゲット非アクティブ・アップリンク・コンポーネント・キャリアと対になるダウンリンク・コンポーネント・キャリアが非アクティブ・ステータスにある場合、ステップＳ８２’で、基地局２は、ユーザ機器１に第４の命令メッセージを送信する。第４の命令メッセージは、ターゲット非アクティブ・アップリンク・コンポーネント・キャリアと対になる非アクティブ・ダウンリンク・コンポーネント・キャリアを測定するようにユーザ機器１に命令するために使用される。
【０１２４】
次にステップＳ８３’で、ユーザ機器１は、基地局２から第４の命令メッセージを受信し、第４の命令メッセージに応答して、ターゲット非アクティブ・アップリンク・コンポーネント・キャリアと対になる非アクティブ・ダウンリンク・コンポーネント・キャリアのダウンリンク無線周波数を開き、非アクティブ・ダウンリンク・コンポーネント・キャリアを測定する。
【０１２５】
基地局２が、各構成済みダウンリンク・コンポーネント・キャリアについてパイロット信号を送信するので、ユーザ機器１が非アクティブ・ダウンリンク・コンポーネント・キャリアの無線周波数を開くと、ユーザ機器１は、ターゲット非アクティブ・アップリンク・コンポーネント・キャリアと対になる非アクティブ・ダウンリンク・コンポーネント・キャリアを介して、基地局２から送信されたパイロット信号を受信することができる。
【０１２６】
次いでステップＳ８４’で、ユーザ機器１は、ターゲット非アクティブ・アップリンク・コンポーネント・キャリアと対になる各非アクティブ・ダウンリンク・コンポーネント・キャリアを介して受信したパイロット信号の強度に従って測定レポートを生成し、基地局２に測定レポートを送信する。
【０１２７】
任意選択で、測定レポートは、現在アクティブ・ステータスにあるすべてのダウンリンク・コンポーネント・キャリアの無線条件と、ターゲット非アクティブ・アップリンク・コンポーネント・キャリアと対になる各非アクティブ・ダウンリンク・コンポーネント・キャリアの無線条件とを含むことができる。
【０１２８】
次にステップＳ８５’で、基地局２は、ユーザ機器１から測定レポートを受信する。
【０１２９】
最後にステップＳ８６で、基地局２は、基地局２の測定結果と、ユーザ機器１から受信した測定レポートとに基づいて、最適なアップリンク・コンポーネント・キャリアとダウンリンク・コンポーネント・キャリアの１つまたは複数の対を活動化する。
【０１３０】
ステップＳ８１〜Ｓ８３およびステップＳ８１’〜Ｓ８６’は、特定の順序で実施されないことがあることに留意されたい。
【０１３１】
図７に示す実施形態では、ユーザ機器１は、基地局２へのサウンディング基準信号の伝送を要求し、さらに、ターゲット非アクティブ・ダウンリンク・コンポーネント・キャリアを測定するとユーザ機器１自体で決定し、図８に示す実施形態では、基地局２は、サウンディング基準信号を送信するようにユーザ機器１を制御し、さらにターゲット非アクティブ・ダウンリンク・コンポーネント・キャリアを測定するようにユーザ機器１を制御する。特定の応用例で上記の２つの解決策を組み合わせて使用できることを当業者は理解することができる。
【０１３２】
方法ステップの観点から本発明の技術的解決策を上記で説明したが、装置モジュールの観点から本発明の技術的解決策を以下でさらに説明する。
【０１３３】
本発明の一実施形態による、キャリア・アグリゲーション技術に基づくワイヤレス通信システムのユーザ機器で、非アクティブ・ダウンリンク・コンポーネント・キャリアを測定するようにユーザ機器を制御する第１の制御装置が、トリガ条件に基づいて、ターゲット非アクティブ・ダウンリンク・コンポーネント・キャリアのダウンリンク無線周波数を開き、ターゲット非アクティブ・ダウンリンク・コンポーネント・キャリアを測定する第１の測定ユニットと、基地局に測定レポートを送信する第１の送信ユニットとを含む。
【０１３４】
任意選択で、第１の制御装置は、基地局に第５の命令メッセージを送信する第２の送信ユニットであって、第５の命令メッセージが、１つまたは複数の非アクティブ・ダウンリンク・コンポーネント・キャリアを活動化するように基地局に命令するために使用される第２の送信ユニットと、基地局から第６の命令メッセージを受信する第１の受信ユニットと、第６の命令メッセージに応答して、ターゲット非アクティブ・ダウンリンク・コンポーネント・キャリアと対になる非アクティブ・アップリンク・コンポーネント・キャリアのアップリンク無線周波数を開き、基地局にサウンディング基準信号を送信する第３の送信ユニットとをさらに含む。
【０１３５】
本発明の一実施形態による、キャリア・アグリゲーション技術に基づくワイヤレス通信システムの基地局で、非アクティブ・ダウンリンク・コンポーネント・キャリアを測定するようにユーザ機器を制御する第１の制御装置が、トリガ条件に基づいてユーザ機器に第１の命令メッセージを送信する第４の送信ユニットであって、第１の命令メッセージが、ターゲット非アクティブ・ダウンリンク・コンポーネント・キャリアを測定するようにユーザ機器に命令するために使用される第４の送信ユニットと、ユーザ機器から測定レポートを受信する第２の受信ユニットと、測定レポートに応答して、１つまたは複数の最適なダウンリンク・コンポーネント・キャリアを活動化する第１の活動化ユニットとを含む。
【０１３６】
任意選択で、第１の制御装置は、ターゲット非アクティブ・ダウンリンク・コンポーネント・キャリアと対になるアップリンク・コンポーネント・キャリアがアクティブ・ステータスにあるかどうかを判定する第１の判定ユニットと、そうでない場合、ユーザ機器に第２の命令メッセージを送信する第５の送信ユニットであって、第２の命令メッセージが、ターゲット非アクティブ・ダウンリンク・コンポーネント・キャリアと対になる非アクティブ・アップリンク・コンポーネント・キャリアのアップリンク無線周波数を開き、サウンディング基準信号を送信するようにユーザ機器に命令するために使用される第５の送信ユニットと、非アクティブ・アップリンク・コンポーネント・キャリアを測定する第２の測定ユニットとをさらに含み、第１の活動化ユニットはさらに、ユーザ機器から受信した測定レポートと、基地局の測定結果とに基づいて、最適なアップリンク・コンポーネント・キャリアとダウンリンク・コンポーネント・キャリアの１つまたは複数の対を活動化するためのものである。
【０１３７】
本発明の一実施形態による、キャリア・アグリゲーション技術に基づくワイヤレス通信システムのユーザ機器で、非アクティブ・ダウンリンク・コンポーネント・キャリアを測定するようにユーザ機器を制御する際に基地局を支援する第１の制御支援装置が、基地局から第１の命令メッセージを受信する第３の受信ユニットと、第１の命令メッセージに応答して、ターゲット非アクティブ・ダウンリンク・コンポーネント・キャリアのダウンリンク無線周波数を開き、ターゲット非アクティブ・ダウンリンク・コンポーネント・キャリアを測定する第３の測定ユニットと、基地局に測定レポートを送信する第６の送信ユニットとを含む。
【０１３８】
任意選択で、第１の制御支援装置は、基地局から第２の命令メッセージを受信する第４の受信ユニットと、第２の命令メッセージに応答して、ターゲット非アクティブ・ダウンリンク・コンポーネント・キャリアと対になる非アクティブ・アップリンク・コンポーネント・キャリアのアップリンク無線周波数を開き、基地局にサウンディング基準信号を送信する第７の送信ユニットとをさらに含む。
【０１３９】
本発明の一実施形態による、キャリア・アグリゲーション技術に基づくワイヤレス通信システムのユーザ機器で、サウンディング基準信号を送信するようにユーザ機器を制御する第２の制御装置が、トリガ条件に基づいて、基地局に第７の命令メッセージを送信する第８の送信ユニットであって、第７の命令メッセージが、１つまたは複数の非アクティブ・アップリンク・コンポーネント・キャリアを活動化するように基地局に命令するために使用される第８の送信ユニットと、基地局から第８の命令メッセージを受信する第５の受信ユニットと、第８の命令メッセージに応答して、ターゲット非アクティブ・アップリンク・コンポーネント・キャリアのアップリンク無線周波数を開き、基地局にサウンディング基準信号を送信する第９の送信ユニットとを含む。
【０１４０】
任意選択で、第２の制御装置は、ターゲット非アクティブ・アップリンク・コンポーネント・キャリアと対になるダウンリンク・コンポーネント・キャリアがアクティブ・ステータスにあるかどうかを判定する第２の判定ユニットと、そうでない場合、ターゲット非アクティブ・アップリンク・コンポーネント・キャリアと対になる非アクティブ・ダウンリンク・コンポーネント・キャリアの無線周波数を開き、非アクティブ・ダウンリンク・コンポーネント・キャリアを測定する第４の測定ユニットと、基地局に測定レポートを送信する第１０の送信ユニットとをさらに含む。
【０１４１】
本発明の一実施形態による、キャリア・アグリゲーション技術に基づくワイヤレス通信システムの基地局で、サウンディング基準信号を送信するようにユーザ機器を制御する第２の制御装置が、トリガ条件に基づいて、ユーザ機器に第３の命令メッセージを送信する第１１の送信ユニットであって、第３の命令メッセージが、ターゲット非アクティブ・アップリンク・コンポーネント・キャリアのアップリンク無線周波数を開き、サウンディング基準信号を送信するようにユーザ機器に命令するために使用される第１１の送信ユニットと、ターゲット非アクティブ・アップリンク・コンポーネント・キャリアを測定する第５の測定ユニットと、測定結果に応答して、１つまたは複数の最適なアップリンク・コンポーネント・キャリアを活動化する第２の活動化ユニットとを含む。
【０１４２】
任意選択で、第２の制御装置は、ターゲット非アクティブ・アップリンク・コンポーネント・キャリアと対になるダウンリンク・コンポーネント・キャリアがアクティブ・ステータスにあるかどうかを判定する第３の判定ユニットと、そうでない場合、ユーザ機器に第４の命令メッセージを送信する第１２の送信ユニットであって、第４の命令メッセージが、ターゲット非アクティブ・アップリンク・コンポーネント・キャリアと対になる非アクティブ・ダウンリンク・コンポーネント・キャリアを測定するようにユーザ機器に命令するために使用される第１２の送信ユニットと、ユーザ機器から測定レポートを受信する第６の受信ユニットとをさらに含み、第２の活動化ユニットはさらに、ユーザ機器から受信した測定レポートと、基地局の測定結果とに基づいて、最適なアップリンク・コンポーネント・キャリアとダウンリンク・コンポーネント・キャリアの１つまたは複数の対を活動化するためのものである。
【０１４３】
本発明の一実施形態による、キャリア・アグリゲーション技術に基づくワイヤレス通信システムのユーザ機器で、サウンディング基準信号を送信するようにユーザ機器を制御する際に基地局を支援する第２の制御支援装置が、基地局から第３の命令メッセージを受信する第７の受信ユニットと、第３の命令メッセージに応答して、ターゲット非アクティブ・アップリンク・コンポーネント・キャリアのアップリンク無線周波数を開き、基地局にサウンディング基準信号を送信する第１２の送信ユニットとを含む。
【０１４４】
任意選択で、第２の制御支援装置は、基地局から第４の命令メッセージを受信する第８の受信ユニットと、第４の命令メッセージに応答して、ターゲット非アクティブ・アップリンク・コンポーネント・キャリアと対になる非アクティブ・ダウンリンク・コンポーネント・キャリアのダウンリンク無線周波数を開き、ターゲット非アクティブ・アップリンク・コンポーネント・キャリアを測定する第６の測定ユニットと、基地局に測定レポートを送信する第１３の送信ユニットとをさらに含む。
【０１４５】
図面および上記の説明で、本発明を上記で詳細に解明し、説明したが、この解明および説明は限定的ではなく例示的に理解されるものとし、本発明は上記の実施形態に限定されないものとする。
【０１４６】
説明、開示、図面、および添付の特許請求の範囲の検討時に、開示した実施形態に対する他の修正形態を当業者は理解し、それを作成することができる。特許請求の範囲では、「ｃｏｍｐｒｉｓｅｓ／ｃｏｍｐｒｉｓｉｎｇ」という用語は別の要素（複数可）および／またはステップ（複数可）を除外せず、「ａ／ａｎ」という用語は複数を除外しない。本発明の実際の適用では、構成要素は、請求項で参照される複数の技術的特徴の機能を実施することができる。特許請求の範囲での任意の参照番号は、本発明の範囲を限定すると解釈されないものとする。
【図１】
0005606553.tif 000002
【図２】
0005606553.tif 000003
【図３】
0005606553.tif 000004
【図４】
0005606553.tif 000005
【図５】
0005606553.tif 000006
【図６】
0005606553.tif 000007
【図７】
0005606553.tif 000008
【図８】
0005606553.tif 000009